【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のシンボル持続時間を有する第１の領域、および前記第１のシンボル持続時間と異なる第２のシンボル持続時間を有する第２の領域を用いて、キャリアを構成することと、ここにおいて、前記第１および第２の領域が時分割多重化（ＴＤＭ）または周波数分割多重化（ＦＤＭ）されている、
ユーザ機器（ＵＥ）のレイテンシ要件に少なくとも部分的に基づいて、前記第１または第２の領域を使用して前記ＵＥと通信することと、ここにおいて、前記第１または第２の領域のうちのより短いものは、前記ＵＥの低レイテンシトラフィックのために使用される、
を備える方法。
【請求項２】
前記ＵＥの前記レイテンシ要件に少なくとも部分的に基づいて、前記第２の領域によって占有される前記キャリアの部分を調整することをさらに備え、
特に、前記第１および第２の領域がＴＤＭされ、ここにおいて、前記第２の領域によって占有される前記キャリアの前記部分を調整することが、
前記第２の領域の時間の持続時間または周期性を調整することを備え、または、
特に、前記第１および第２の領域がＦＤＭされ、ここにおいて、前記第２の領域によって占有される前記キャリアの前記部分を調整することが、
前記第２の領域の帯域幅を調整すること、特に、前記第１の領域と前記第２の領域との間にガードバンドを構成することを備える、
請求項１に記載の方法。
【請求項３】
前記キャリアを構成することが、
前記第１の領域のシンボルの中で信号を送信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
請求項１に記載の方法。
【請求項４】
前記キャリアの第３の領域を構成することをさらに備え、前記第３の領域が、前記第２のシンボル持続時間を有し、ここにおいて、前記第１および第２の領域がＦＤＭされ、ここにおいて、前記第３の領域が前記第１および第２の領域とＴＤＭされ、
特に、前記第１の領域と前記第２の領域との間にガードバンドを構成すること
をさらに備える請求項１に記載の方法。
【請求項５】
ワイヤレス通信の方法であって、
キャリアの第１の領域を識別することと、前記第１の領域が第１のシンボル持続時間を有する、
前記キャリアの第２の領域を識別することと、前記第２の領域が、前記第１のシンボル持続時間と異なる第２のシンボル持続時間を有し、ここにおいて、前記第１および第２の領域が時分割多重化（ＴＤＭ）または周波数分割多重化（ＦＤＭ）されている、
レイテンシ要件に少なくとも部分的に基づいて、前記第１または第２の領域を使用して基地局と通信することと、ここにおいて、前記第１または第２の領域のうちのより短いものは、低レイテンシトラフィックのために使用される、
を備える方法。
【請求項６】
前記第１および第２の領域がＦＤＭされ、ここにおいて、前記方法が、
前記第１の領域と前記第２の領域との間のガードバンドを識別することをさらに備える、
請求項５に記載の方法、または、
前記キャリアの前記第２の領域を識別することが、
前記第１の領域のシンボルの中で信号を受信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
請求項５に記載の方法。
【請求項７】
前記キャリアの第３の領域を識別することをさらに備え、前記第３の領域が前記第２のシンボル持続時間を有し、ここにおいて、前記第１および第２の領域がＦＤＭされ、ここにおいて、前記第３の領域が前記第１および第２の領域とＴＤＭされ、
前記方法は、特に、前記第１の領域と前記第２の領域との間のガードバンドを識別すること
をさらに備える請求項５に記載の方法。
【請求項８】
ワイヤレス通信のための装置であって、
第１のシンボル持続時間を有する第１の領域、および前記第１のシンボル持続時間と異なる第２のシンボル持続時間を有する第２の領域を用いて、キャリアを構成するための手段と、ここにおいて、前記第１および第２の領域が時分割多重化（ＴＤＭ）または周波数分割多重化（ＦＤＭ）されている、
ユーザ機器（ＵＥ）のレイテンシ要件に少なくとも部分的に基づいて、前記第１または第２の領域を使用して、前記ＵＥの低レイテンシトラフィックのために前記第１または第２の領域のうちのより短いものを使用して前記ＵＥと通信するための手段と
を備える装置。
【請求項９】
前記ＵＥの前記レイテンシ要件に少なくとも部分的に基づいて、前記第２の領域によって占有される前記キャリアの部分を調整するための手段をさらに備え、
特に、前記第１および第２の領域がＴＤＭされ、ここにおいて、前記第２の領域によって占有される前記キャリアの前記部分を調整することが、
前記第２の領域の時間の持続時間または周期性を調整することを備え、または、
特に、前記第１および第２の領域がＦＤＭされ、ここにおいて、前記第２の領域によって占有される前記キャリアの前記部分を調整することが、
前記第２の領域の帯域幅を調整することを備え、特に、前記装置は、前記第１の領域と前記第２の領域との間にガードバンドを構成するための手段をさらに備える、
請求項８に記載の装置。
【請求項１０】
前記キャリアを構成することが、
前記第１の領域のシンボルの中で信号を送信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
請求項８に記載の装置。
【請求項１１】
前記キャリアの第３の領域を構成するための手段をさらに備え、前記第３の領域が、前記第２のシンボル持続時間を有し、ここにおいて、前記第１および第２の領域がＦＤＭされ、ここにおいて、前記第３の領域が前記第１および第２の領域とＴＤＭされ、
前記装置は、特に、前記第１の領域と前記第２の領域との間にガードバンドを構成するための手段をさらに備える請求項８に記載の装置。
【請求項１２】
ワイヤレス通信のための装置であって、
キャリアの第１の領域を識別するための手段と、前記第１の領域が第１のシンボル持続時間を有する、
前記キャリアの第２の領域を識別するための手段と、前記第２の領域が、前記第１のシンボル持続時間と異なる第２のシンボル持続時間を有し、ここにおいて、前記第１および第２の領域が時分割多重化（ＴＤＭ）または周波数分割多重化（ＦＤＭ）されている、
レイテンシ要件に少なくとも部分的に基づいて、前記第１または第２の領域を使用して、低レイテンシトラフィックのために前記第１または第２の領域のうちのより短いものを使用して、基地局と通信するための手段と
を備える装置。
【請求項１３】
前記第１および第２の領域がＦＤＭされ、ここにおいて、前記装置が、
前記第１の領域と前記第２の領域との間のガードバンドを識別するための手段をさらに備える
請求項１２に記載の装置、または、
前記キャリアの前記第２の領域を識別することが、
前記第１の領域のシンボルの中で信号を受信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
請求項１２に記載の装置。
【請求項１４】
前記キャリアの第３の領域を識別するための手段をさらに備え、前記第３の領域が前記第２のシンボル持続時間を有し、ここにおいて、前記第１および第２の領域がＦＤＭされ、ここにおいて、前記第３の領域が前記第１および第２の領域とＴＤＭされ、
前記装置は、特に、前記第１の領域と前記第２の領域との間のガードバンドを識別するための手段をさらに備える、
請求項１２に記載の装置。
【請求項１５】
コンピュータ上で実行されるとき請求項１から７のうちのいずれかのステップを実行するためのコンピュータ実行可能命令を備える、コンピュータプログラム。
【手続補正２】
【補正対象書類名】明細書
【補正対象項目名】０１６２
【補正方法】変更
【補正の内容】
【０１６２】
[0187]本開示の前の説明は、当業者が本開示を作製または使用することを可能にするために提供される。本開示への様々な変更は当業者には容易に明らかとなり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信の方法であって、
第１のシンボル持続時間を有する第１の領域、および前記第１のシンボル持続時間と異なる第２のシンボル持続時間を有する第２の領域を用いて、キャリアを構成することと、ここにおいて、前記第１および第２の領域が時分割多重化（ＴＤＭ）または周波数分割多重化（ＦＤＭ）されている、
ユーザ機器（ＵＥ）のレイテンシ要件に少なくとも部分的に基づいて、前記第１または第２の領域を使用して前記ＵＥと通信することと
を備える方法。
［Ｃ２］
前記ＵＥの前記レイテンシ要件に少なくとも部分的に基づいて、前記第２の領域によって占有される前記キャリアの部分を調整すること
をさらに備えるＣ１に記載の方法。
［Ｃ３］
前記第１および第２の領域がＴＤＭされ、ここにおいて、前記第２の領域によって占有される前記キャリアの前記部分を調整することが、
前記第２の領域の持続時間または周期性を調整することを備える、
Ｃ２に記載の方法。
［Ｃ４］
前記第１および第２の領域がＦＤＭされ、ここにおいて、前記第２の領域によって占有される前記キャリアの前記部分を調整することが、
前記第２の領域の帯域幅を調整することを備える、
Ｃ２に記載の方法。
［Ｃ５］
前記第１の領域と前記第２の領域との間にガードバンドを構成すること
をさらに備えるＣ４に記載の方法。
［Ｃ６］
前記キャリアを構成することが、
前記第１の領域のシンボルの中で信号を送信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
Ｃ１に記載の方法。
［Ｃ７］
前記キャリアの第３の領域を構成することをさらに備え、前記第３の領域が、前記第２のシンボル持続時間を有し、ここにおいて、前記第１および第２の領域がＦＤＭされ、ここにおいて、前記第３の領域が前記第１および第２の領域とＴＤＭされる、
Ｃ１に記載の方法。
［Ｃ８］
前記第１の領域と前記第２の領域との間にガードバンドを構成すること
をさらに備えるＣ７に記載の方法。
［Ｃ９］
前記第２のシンボル持続時間が前記第１のシンボル持続時間よりも短い、Ｃ１に記載の方法。
［Ｃ１０］
ワイヤレス通信の方法であって、
キャリアの第１の領域を識別することと、前記第１の領域が第１のシンボル持続時間を有する、
前記キャリアの第２の領域を識別することと、前記第２の領域が、前記第１のシンボル持続時間と異なる第２のシンボル持続時間を有し、ここにおいて、前記第１および第２の領域が時分割多重化（ＴＤＭ）または周波数分割多重化（ＦＤＭ）されている、
レイテンシ要件に少なくとも部分的に基づいて、前記第１または第２の領域を使用して基地局と通信することと
を備える方法。
［Ｃ１１］
前記第１および第２の領域がＦＤＭされ、ここにおいて、前記方法が、
前記第１の領域と前記第２の領域との間のガードバンドを識別することをさらに備える、
Ｃ１０に記載の方法。
［Ｃ１２］
前記キャリアの前記第２の領域を識別することが、
前記第１の領域のシンボルの中で信号を受信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
Ｃ１０に記載の方法。
［Ｃ１３］
前記キャリアの第３の領域を識別することをさらに備え、前記第３の領域が前記第２のシンボル持続時間を有し、ここにおいて、前記第１および第２の領域がＦＤＭされ、ここにおいて、前記第３の領域が前記第１および第２の領域とＴＤＭされる、
Ｃ１０に記載の方法。
［Ｃ１４］
前記第１の領域と前記第２の領域との間のガードバンドを識別すること
をさらに備えるＣ１３に記載の方法。
［Ｃ１５］
前記第２のシンボル持続時間が前記第１のシンボル持続時間よりも短い、Ｃ１０に記載の方法。
［Ｃ１６］
ワイヤレス通信のための装置であって、
第１のシンボル持続時間を有する第１の領域、および前記第１のシンボル持続時間と異なる第２のシンボル持続時間を有する第２の領域を用いて、キャリアを構成するための手段と、ここにおいて、前記第１および第２の領域が時分割多重化（ＴＤＭ）または周波数分割多重化（ＦＤＭ）されている、
ユーザ機器（ＵＥ）のレイテンシ要件に少なくとも部分的に基づいて、前記第１または第２の領域を使用して前記ＵＥと通信するための手段と
を備える装置。
［Ｃ１７］
前記ＵＥの前記レイテンシ要件に少なくとも部分的に基づいて、前記第２の領域によって占有される前記キャリアの部分を調整するための手段
をさらに備えるＣ１６に記載の装置。
［Ｃ１８］
前記第１および第２の領域がＴＤＭされ、ここにおいて、前記第２の領域によって占有される前記キャリアの前記部分を調整することが、
前記第２の領域の持続時間または周期性を調整することを備える、
Ｃ１７に記載の装置。
［Ｃ１９］
前記第１および第２の領域がＦＤＭされ、ここにおいて、前記第２の領域によって占有される前記キャリアの前記部分を調整することが、
前記第２の領域の帯域幅を調整することを備える、
Ｃ１７に記載の装置。
［Ｃ２０］
前記第１の領域と前記第２の領域との間にガードバンドを構成するための手段
をさらに備えるＣ１９に記載の装置。
［Ｃ２１］
前記キャリアを構成することが、
前記第１の領域のシンボルの中で信号を送信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
Ｃ１６に記載の装置。
［Ｃ２２］
前記キャリアの第３の領域を構成するための手段をさらに備え、前記第３の領域が、前記第２のシンボル持続時間を有し、ここにおいて、前記第１および第２の領域がＦＤＭされ、ここにおいて、前記第３の領域が前記第１および第２の領域とＴＤＭされる、
Ｃ１６に記載の装置。
［Ｃ２３］
前記第１の領域と前記第２の領域との間にガードバンドを構成するための手段
をさらに備えるＣ２２に記載の装置。
［Ｃ２４］
前記第２のシンボル持続時間が前記第１のシンボル持続時間よりも短い、Ｃ１６に記載の装置。
［Ｃ２５］
ワイヤレス通信のための装置であって、
キャリアの第１の領域を識別するための手段と、前記第１の領域が第１のシンボル持続時間を有する、
前記キャリアの第２の領域を識別するための手段と、前記第２の領域が、前記第１のシンボル持続時間と異なる第２のシンボル持続時間を有し、ここにおいて、前記第１および第２の領域が時分割多重化（ＴＤＭ）または周波数分割多重化（ＦＤＭ）されている、
レイテンシ要件に少なくとも部分的に基づいて、前記第１または第２の領域を使用して基地局と通信するための手段と
を備える装置。
［Ｃ２６］
前記第１および第２の領域がＦＤＭされ、ここにおいて、前記装置が、
前記第１の領域と前記第２の領域との間のガードバンドを識別するための手段をさらに備える
Ｃ２５に記載の装置。
［Ｃ２７］
前記キャリアの前記第２の領域を識別することが、
前記第１の領域のシンボルの中で信号を受信することを備え、前記信号は、前記第２のシンボル持続時間を示し、無線リソース制御（ＲＲＣ）シグナリング、ブロードキャストメッセージ、レイヤ１シグナリング、またはメディアアクセス制御（ＭＡＣ）レイヤシグナリングのうちの少なくとも１つを備える、
Ｃ２５に記載の装置。
［Ｃ２８］
前記キャリアの第３の領域を識別するための手段をさらに備え、前記第３の領域が前記第２のシンボル持続時間を有し、ここにおいて、前記第１および第２の領域がＦＤＭされ、ここにおいて、前記第３の領域が前記第１および第２の領域とＴＤＭされる、
Ｃ２５に記載の装置。
［Ｃ２９］
前記第１の領域と前記第２の領域との間のガードバンドを識別するための手段
をさらに備えるＣ２８に記載の装置。
［Ｃ３０］
前記第２のシンボル持続時間が前記第１のシンボル持続時間よりも短い、Ｃ２５に記載の装置。